(57)【要約】  フレンチフライ用の容器（１０）であって、底部（１１）と、側壁と、前壁および後壁（１２）と、閉じることが可能な蓋（１３）とを備え、当該容器は、総表面領域を有し、かつ、総表面領域の予め選択される比率で設定される開口領域を集合的に有する穿孔（８、８´）が備えられ、穿孔は、蓋と、前壁および後壁とに備えられることを特徴とする。容器は、第１および第２の側部材（３、４）をその部材の両側で接続する接続部材（２）を備える一片の平板状部材（１）から作られる。第１および第２の側部材は、各々が、接続部材からの距離の増加に伴って幅が増加するようにテーパー状になっており、幅は、第１および第２の側部材と、接続部材とを通って延在する本体軸（５）に対して垂直に測定される。【選択図】図７
2019502605.tif 000002
【特許請求の範囲】
【請求項１】
フレンチフライ用の容器（１０）であって、底部（１１）と、側壁と、前壁および後壁（１２）と、閉じることが可能な蓋（１３）とを備え、当該容器は、総表面領域を有し、かつ、前記総表面領域の予め選択される比率で設定される開口領域を集合的に有する穿孔（８、８´）が備えられ、前記穿孔（８´）は、少なくとも前記蓋（１３）に備えられ、前記穿孔は、さらに、前記前壁および後壁（１２）に備えられることを特徴とする、フレンチフライ用の容器。
【請求項２】
前記比率は、３から１０パーセントの範囲に設定されていることを特徴とする、請求項１に記載の容器。
【請求項３】
前記穿孔（８、８´)は、前記蓋（１３）に隣接する開口部（８´´）として少なくとも部分的に具体化されていることを特徴とする、請求項１または２に記載の容器。
【請求項４】
前記容器の底部は、凹状であることを特徴とする、請求項１から３のいずれか一項に記載の容器。
【請求項５】
前記前壁および後壁（１２）における前記穿孔（８）は、前記底部の近傍における領域に限定されていることを特徴とする、請求項１から４のいずれか一項に記載の容器。
【請求項６】
前記底部の近傍は、前記底部（１１）から前記前壁および後壁（１２）の前記全高の３分の１まで延在することを特徴とする、請求項５に記載の容器。
【請求項７】
前記蓋（１３）における前記穿孔(8´)および/または前記蓋に隣接する前記開口部（８´´）における前記穿孔（８´）の開口領域は、前記底部の近傍での前記前壁および後壁における穿孔（８）の開口領域よりも大きいことを特徴とする、請求項１から６のいずれか一項に記載の容器。
【請求項８】
前記前壁および後壁における前記穿孔（８）は、６×６ｍｍおよび/または９×９ｍｍのサイズのフライの通過を防止する寸法が備えられることを特徴とする、請求項１から７のいずれか一項に記載の容器。
【請求項９】
前記前壁および後壁（１２）は、前記底部から上方へ見たときに、互いに離れるテーパー状であることを特徴とする、請求項１から８のいずれか一項に記載の容器。
【請求項１０】
前記前壁および後壁（１２）は、実質的に丸い外観を有する前記容器（１０）を提供するように、滑らかに互いに変形することを特徴とする、請求項１から９のいずれか一項に記載の容器。
【請求項１１】
前記容器（１０）は、一片の材料で作られていることを特徴とする、請求項１から１０のいずれか一項に記載の容器。
【請求項１２】
前記容器（１０）は、平板状部材（１）から作られることを特徴とする、請求項１から１１のいずれか一項に記載の容器。
【請求項１３】
フレンチフライ用の容器のための一片の平板状部材（１）であって、第１および第２の側部材（３、４）が、その部材の両側で接続する接続部材（２）を備え、前記第１および第２の側部材（３、４）は、各々が、前記接続部材（２）からの距離の増加に伴って幅が増加するようにテーパー状になっており、前記幅は、前記第１および第２の側部材（３、４）と前記接続部材（２）とを通って延在する本体軸（５）に対して垂直に測定され、かつ、第１および第２の側部材（３、４）の１つは、前記平板状部材（１）の構成において蓋（１３）として具体化される前記延長片（６）と接続し、フレンチフライ用の容器に組み立てられ、かつ、前記第１の側部材（３）、および/または前記第２の側部材（４）、および/または前記延長片（６）は、穿孔（８、８´）が備えられており、前記第１の側部材（３）および前記第２の側部材（４）は、前記平板状部材が前記容器（１０）に形成される際に前壁および後壁を形成し、かつ、前記第１の側部材（３）および/または前記第２の側部材（４）における前記穿孔（８）は、前記部材の長さの最大で３分の１の範囲である領域において備えられ、その領域は、前記接続部材（２）と隣接することを特徴とする、フレンチフライ用の容器のための一片の平板状部材。
【請求項１４】
前記第１の側部材（３）および/または前記第２の側部材（４）における前記穿孔（８）は、６×６ｍｍおよび/または９×９ｍｍのフライの通過を防止する寸法とされていることを特徴とする、請求項１３に記載の平板状部材。
【請求項１５】
前記第１の側部材（３）および/または前記第２の側部材（４）における前記穿孔（８）によって備えられる開口領域は、前記延長片（６）における前記穿孔（８´）の開口領域よりも小さいことを特徴とする、請求項１３または１４に記載の平板状部材。
【請求項１６】
前記平板状部材（１）は、総表面領域を有し、かつ、集合的に開口領域を有する穿孔（８、８´）が備えられており、前記開口領域と前記総表面領域との比率が、３から１０パーセントに設定されていることを特徴とする、請求項１３から１５のいずれか一項に記載の平板状部材。
【発明の詳細な説明】
【技術分野】
【０００１】
本発明は、少なくとも底部と側壁とを備え、総表面領域を有し、総表面領域の予め選択される比率で設定される開口領域を集合的に有する穿孔が備えられるフレンチフライ用の容器に関する。
【背景技術】
【０００２】
欧州特許第０８６７３７９号明細書は、セルロース含有材料の少なくとも１つの第１の層と、プラスチックの第２の層とを有する複合材料で作られ、複合材料が穿孔され、複合材料の全体の領域に対する開口領域の比率が、５０分の１から２５０分の１（０．４から２パーセント）の範囲で設定されている、食品、特にパンを包装するための袋を開示している。
【０００３】
本出願人は、この既知の袋を調査し、特に、フライがその食感を損なうことなく、容器において長期の保存または保持時間に耐えることができないため、フレンチフライ用の容器としては不適切であることが分かった。
【０００４】
フレンチフライの消費者と、そのようなフレンチフライの販売者とは、そのようなフレンチフライに使用される容器にいくつかの要求を課す。これらの要求は、互いに少なくとも部分的に調和する。販売者は、揚げられ、調理され、または準備されるフライで容器を簡単に満たすことができ、かつ、在庫の容器が多くの空間を占めないことを必要とする。フレンチフライの消費者は、フライが、その歯切れの良い食感(crispy texture)を失うことなく、容器における最小の保持時間に耐えることを必要とする。調査は、おおよそ２０分のフライの保持時間（その後で、フライはまだ歯切れが良く、咀嚼によりフライの歯切れの良さを決定する、いわゆるサクサク感のテスト(crunching test)を満足しなければならない）を許容するフレンチフライの容器の必要性があることを示した。伝えられることによれば、良好な歯切れの良さとは、少なくとも５回の咀嚼を必要とし、フライが、口の中でサクサク感を発生させることを特徴とする。さらに、容器は、簡単な運搬を可能としなければならず、かつ、簡単な開放およびフライへの良好な接近を提供しなければならない。
【０００５】
米国特許出願公開第２０１５/００２８０８８号明細書は、底部、側壁、前壁および後壁および閉じることが可能な蓋を含むフレンチフライおよび他のスナック製品用の容器を開示している、総表面領域(total surface area)を有し、総表面領域の予め選択される比率に設定される開口領域(open area)を集合的に有する穿孔が備えられ、穿孔は、少なくとも蓋に備えられていることを特徴とする。この引用文献で開示される、幾つかの実施形態では、穿孔は側壁にも備えられる。
【先行技術文献】
【特許文献】
【０００６】
【特許文献１】欧州特許第０８６７３７９号明細書
【特許文献２】米国特許出願公開第２０１５/００２８０８８号明細書
【発明の概要】
【０００７】
本発明の目的は、上述の要求の少なくとも一部または複数をより良好に満たすように、既知の容器を改善し、かつ、以下の開示から明らかになるような更なる利点を得ることを目的とする。
【０００８】
本発明の容器は、ここで累積的に議論されるいくつかの特徴が備えられるが、添付の請求項において具体化されている各々の特徴が、他の請求項における任意の他の特徴から独立して適用され、かつ、他の請求項の任意の他の特徴を盛り込む必要性がなく、分割出願の一部にできることが理解される。
【０００９】
さらに、本発明は、フレンチフライ用の容器のみならず、そのようなフレンチフライ用の容器が製造されることができる一片の平板状部材(plano)においても具体化される。また、平板状部材に関して、添付の請求項において具体化されている各々の特徴が、他の請求項における任意の他の特徴から独立して適用され、かつ、他の請求項の任意の他の特徴を盛り込む必要性がなく、分割出願の一部にできることが理解される。
【００１０】
そのような一片の平板状部材は、制限される倉庫が、在庫となるフライの包装材料を保持することが必要となることを要求するフレンチフライの販売者にとって特に有用である。また、フレンチフライ用の容器に存在する他の要求を満たすために、平板状部材は、第１の側部材および第２の側部材を、その部材の両側で接続する接続部材を備えることが好ましい。接続部材は、実質的に、長方形または丸形(round)、例えば、円形(circular)、楕円形(elliptical)または長円形(oval)とすることが可能である。次に、平板状部材から容器を組み立てる際に、第１および第２の側部材を容器の前壁および後壁に変換し、かつ、接続部材を容器の底部に変換することが可能である。底部は、以降で説明される理由のために、凹状であることが好ましく、かつ、第１および第２の側部材は、その外観が実質的に凸状または丸い形状であることが可能である。これは、本発明の容器の好ましい特徴に対応し、すなわち、容器は自立することができ、かつ、前壁および後壁が、実質的に凸状または丸い形状の外観を有する容器を提供するように、互いに滑らかに変形する。この丸い外観は、容器の簡単な取り扱いを可能とする。しかし、状況に応じて、容器は、取り扱いの容易性を損なうことなく、より矩形の外観が得られるようにすることも可能である。
【００１１】
平板状部材の他の望ましい特徴は、第１および第２の側部材は、接続部材からの距離の増加に伴って幅が増加するように、各々がテーパー状になっていることであり、ここで、幅は、第１および第２の側部材と、接続部材とを通って延在する本体軸に対して垂直に測定される。これは、容器が平板状部材から組み立てられる際に、前壁および後壁を、底部から上方へ見た際に、互いにテーパー状となるようにすることができ、容器が、揚げられ、調理され、または準備されるフライで容易に満たされることを可能とすることを促進する。また、車のカップホルダ内に、フライを有する容器の簡単な配置を可能とする。さらに、上方へ面する容器のより大きな寸法によって、本発明の容器からフライを取ることが促進される。
【００１２】
おそらく、消費者の視点から最も重要なことは、延長した持続期間に対して、その歯切れの良さを保存するための、フライ用の容器の能力であり、販売地点からフライが消費される場所へフライを輸送できるようにすることである。上述したように、容器内のフライのおおよそ２０分間の保持時間を許容し、かつ、少なくとも５回のフライの咀嚼の間にサクサク感(crunching）が体験されるべき、感覚を刺激する歯切れの良さに関するテスト（crispiness test)を通過する能力を保持することが望ましい。このため、かつ、本発明の他の目的のために、容器および好ましくはそれが作成される平板状部材は、添付の１つ以上の請求項の特徴が備えられる。
【００１３】
本発明の容器において、穿孔は、蓋に備えられるだけではなく、前壁および後壁にも備えられることが特に好ましい。これは、穿孔が備えられる既知の容器と比較して、優れた結果を提供することを示す。
【００１４】
好ましくは、容器は、総表面領域を有し、かつ、3から10パーセントの範囲に設定され、総表面領域の予め選択される比率に設定される開口領域を集合的に有する穿孔が備えられている。これは、フライから蒸発した湿気が、容器から逃げることができることを可能とし、それと共に、フライが、ふやけたり、柔らかくなったり、歯切れの良さを失うことを回避することを可能とする。例えば、比率は、一般的に満足のいく結果のために３．２％の値に設定されるが、この比率の好ましい値は、容器が輸送される状況に依存し、容器が開いた袋にて輸送される際には、より小さくするべきであり、容器が、閉じたケースにて輸送される際には、より大きくするべきである。
【００１５】
好ましくは、容器の底部は、容器内のフライが、フライ同士の間に、全く空間を残すことなく互いに積み重ねられ、湿気が積み重ねられたフライから逃れることを妨げることがない様に、凹状である。この様に、容器内の最も内側にあるフライも、歯切れの良さを保持することが促進される。
【００１６】
蓋における穿孔は、また、蓋に隣接する開口部として具体化されることができることに留意する。蓋における穿孔、または蓋に隣接する開口部は、容器の外側へのフライから蒸発した蒸気の逃避をさらに促進する、容器への煙突効果を提供する。
【００１７】
好ましくは、前壁および後壁における穿孔は、底部の近傍における領域に限定される。実際には、これは、底部の近傍が、好ましくは底部から前壁および後壁の全高のおおよそ３分の１まで延在することを意味する。しかし、いくつかの変形例では、穿孔が前壁および後壁の全高の３分の１を超えて延在することが可能である。
【００１８】
１つの他の態様では、蓋および/または蓋に隣接する開口部の開口領域が、好ましくは、底部の近傍での前壁および後壁における穿孔の開口領域よりも大きいことである。蓋の近傍における前壁および後壁における穿孔がある場合、これらの穿孔の機能性は、蓋における穿孔に加わる。これは、容器から十分な湿気が逃れることができることを可能とし、容器からフライを失うことを避ける場合には、前壁および後壁における穿孔の寸法を、あまり大きく選択できないことに留意する。フライは、６×６ｍｍおよび９×９ｍｍのサイズとなり、これらのサイズに留意し、穿孔の寸法を選択しなければならない。
【図面の簡単な説明】
【００１９】
本発明は、添付の請求項を限定しない本発明に従って、以降に、容器および平板状部材の例示的な実施形態の図面を参照して、さらに明らかにされる。
【図１】本発明のフレンチフライ用の容器のための平板状部材を示す。
【図２】閉じられた蓋を有する本発明のフレンチフライ用の容器の上面図を示す。
【図３】本発明のフレンチフライ用の容器の側面図を示す。
【図４】本発明のフレンチフライ用の容器の側面図を示す。
【図５】本発明のフレンチフライ用の容器の底面図を示す。
【図６】閉じた蓋を有する本発明のフレンチフライ用の容器の等角図を示す。
【図７】開いた蓋を有する図６の容器を示す。
【図８】これらの容器に詰められた異なる品質のフライにおけるクランチテストにおいて比較して調査された容器の７つのサンプルを模式的に示す。
【図９】６×６のサイズにおける３つの異なる品質のフライに適用された各々の容器のサンプルに対するサクサク感のテスト(crunchiness test)の結果を示す。
【図１０】９×９のサイズにおける３つの異なる品質のフライに適用された各々の容器のサンプルに対するサクサク感のテストの結果を示す。  図面において、同じ符号が適用されるときはいつでも、これらの番号は、同じ部分を参照する。
【発明を実施するための形態】
【００２０】
異なる種類の容器に詰められたフレンチフライのサクサク感を維持する持続時間の比較試験において、本発明の容器は、様々な変形例の穿孔を有する容器と比較され、以降に、議論される。しかし、初めに、本発明の平板状部材および容器が議論される。図１を参照すると、フレンチフライ用の容器のために１つの部材である平板状部材(1)が示されており、実質的に円形の接続部材２を備え、それは、第１の側部材３および第２の側部材４を、その部材２の両側で接続する。しかし、接続部材２は、また、楕円形(elliptical)、長円形（oval)、または矩形とすることができることが理解される。第１の側部材３および第２の側部材４は、各々が、接続部材２からの距離の増加に伴って幅が増加するように、テーパー状になっており、上記の幅は、第１および第２の側部材３、４と、接続部材２とを通して延在する本体軸５に対して垂直に測定される。
【００２１】
図１は、また、平板状部材の構成において、第１の側部材３が、蓋として機能するように具体化される拡張片６と接続し、以降に議論される図２から７において示されるような容器に組み込まれることを示す。明らかに、拡張片６は、第１の側部材３に対して備えられる代わりに、第２の側部材４に対する拡張部分として備えられることもできる。もちろん、拡張片６は、半分に分割され、側部材３、４の各々１つが、その半体の１つと接続することも可能である。
【００２２】
図１に示される実施形態において、第２の側部材４は、図２から７において示される本発明の容器に組み込まれる際に、第１の側部材３に接続するための単一の縁部材または複数の縁部材７を含む。しかし、単一の縁部材または複数の縁部材は、第２の側部材４に接続するために、第１の側部材３に備えられることもでき、または、双方の部材３、４は、他の部材に接続するために、そのような縁部材を有しても良いことが、当業者にとって明らかである。上記の縁部材７は、結局、準備される容器の外壁を形成しても良い。
【００２３】
図１は、さらに、第１の側部材３と、第２の側部材４と、拡張片６とに、穿孔８、８が備えられていることを示す。しかし、拡張片６に、常に穿孔８´が備えられる一方で、各々の部材３、４には、穿孔８が備えられない可能性がある。図１において示されるような実施形態において、最良な結果が達成される。第１の側部材３および/または第２の側部材４において、穿孔８の開口領域は、拡張片６における穿孔８´の開口領域よりも小さいことが好ましい。結果的に、例えば、図６において示されるような、この平板状部材から作られる本発明の容器において、前壁および後壁における穿孔８によって作られる開口表面領域(open surface area)は、蓋１３における開口部８´の機能性に加わる蓋１３に近い側部の任意の開口部８´´を含む、蓋１３の開口表面領域よりも小さい。実際には、第１の部材３および/または第２の部材４は、６×６ｍｍおよび/または９×９ｍｍのサイズを有するフライの通過を阻止することが好ましい。
【００２４】
さらに、第１の部材３および/または第２の部材４における穿孔８は、部材の最大３分の１の範囲である領域に備えられ、その領域は、接続部材２と隣接することが、図１から推察できる。概して、平板状部材１は、総表面領域(total surface area)を有し、かつ、集合的に開口領域(open area)を有する穿孔８、８´が備えられることが、図２から７において示される本発明の容器の達成のために有利となり、開口領域と総表面領域との比率は、３から１０パーセントの範囲に設定される。
【００２５】
ここで、図６に戻ると、本発明のフレンチフライ用の容器１０が、等角図によって示され、容器１０は、図１において示されるような平板状部材１から製造され、図５において示されるような底部１１と、図４において最良に確認できるように、側壁で互いに接続される前壁および後壁１２とを備える。容器１０は、総表面領域があり、かつ、３から１０パーセントの範囲に設定される、上記の総表面領域の予め選択される比率で設定される開口領域を集合的に有する穿孔８、８´が備えられる。図６は、また、容器１０が、前壁および後壁１２に備えられる穿孔とは別に、図２においても示されるような閉じることが可能な蓋１３を有することを示しており、穿孔８´が、上記の蓋１３にも備えられている。さらに、蓋１３における穿孔８´と同じ機能性を有する、蓋１３に隣接する開口部８´´があっても良い。
【００２６】
図６および図７は共に、容器１０が自立することが可能であり、前壁および後壁１２における穿孔８が、底部１１の近傍における領域に制限されることを示す。底部の近傍は、底部１１から前壁および後壁の全高のおおよそ３分の１まで延在することが、これらの図面から把握できる。図７において、本発明の容器１０は、本発明の容器が閉じた蓋１３と共に示される図６とは対照的に、開いた蓋１３と共に示されている。
【００２７】
本発明によれば、蓋１３における穿孔８´の開口領域および/または蓋１３に隣接する開口部８´´は、底部の近傍での側壁１２における穿孔８の開口領域よりも大きいことが好ましい。
【００２８】
好ましくは、前壁および後壁１２における穿孔８は、６×６ｍｍおよび/または９×９ｍｍのサイズを有するフライの通過を防止する寸法にて備えられている。
【００２９】
図３、５、７は、容器の底部１１は、容器におけるフライが、フライ同士の間に全く空間を残すことなく互いに積み重ねられ、容器において積み重ねられたフライから湿気の放散さえも妨げ、または防止することを回避するように凹状である。
【００３０】
図３の側面図から最良に確認できるが、図６からもまた、前壁および後壁１２が、底部から上方へ見た時に、互いに離れるようにテーパー状となっていることが確認できる。図４と図６との組み合わせは、特に、前壁および後壁と接続する側壁にて、実質的に丸い外観を有する容器１０を提供するように、前壁および後壁１２が、滑らかに互いに変形する。最後に、本発明の容器は、好ましくは、図１の平板状部材１のような一片の材料から作られることに留意する。
【００３１】
本発明の有益な結果は、ここから、３つの異なる品質のフレンチフライのサクサク感(crunchiness)が、フライを保持するために用いられる容器の種類に依存して維持される持続時間に関係する比較調査の以下の議論において、さらに議論される。調査された容器は、図８において模式的に示されており、以下を特徴とする。
-8.1は、全く穿孔のない標準的な容器を示し、
-8.2は、(米国特許出願公開第２０１５/００２８０８８号明細書より知られているような）蓋においてのみ穿孔を有する容器を示し、
-8.3は、前壁および後壁の中央において、途中に穿孔を有する容器を示し、
-8.4は、(米国特許出願公開第２０１５/００２８０８８号明細書より知られているような）側壁のみにおいて穿孔を有する容器を示し、
-8.5は、前壁および後壁の底部の領域において穿孔を有する容器を示し、
-8.6は、(米国特許出願公開第２０１５/００２８０８８号明細書より知られているような）蓋および側壁において穿孔を有する容器を示し、そして、
-8.7は、本発明に従って、蓋と、前壁および後壁とに備えられる穿孔を有する容器を示す。
【００３２】
図９および１０は、図８において示される上述の容器の各々に対して、試験した容器において、３つの異なる品質のフライのサクサク感(crunchiness)が維持される持続時間に対応するヒストグラムを示す。図９および１０は、8.1から8.7の容器の表示によって、試験した容器を参照する。図９において、結果は、６×６のフライにて示され、一方で、図１０において、結果は、９×９のフライにて示される。調査したフライの品質は、標準的なフライと、被覆されるフライと、本出願人が、Hot2Home(登録商標）フライとして市場投入を検討している、最高に素晴らしい開発の優れたフライである。
【００３３】
図９および１０において集約される結果は、６×６および９×９のフライに対して、それぞれ、最良の結果が、上述で議論され、かつ、添付の請求項において明示された本発明の特徴に従って具体化される容器８．７が使用された際に、任意の種類のフライにて最も良い結果が達成されていることを示す。
【００３４】
本発明は、本発明の容器および平板状部材の例示的な実施形態を参照してこれまで議論されてきたが、本発明は、これに制限されず、かつ、本発明から逸脱をしない多様な方法で変更可能である。容器および平板状部材の議論した例示的な実施形態は、それ故に、それに従って厳密に添付の請求項を解釈するために用いられるべきではない。対照的に、容器および平板状部材の示された実施形態は、これに、請求項を限定することを意図するものではなく、単に、添付の請求項の用語を説明することを意図したものである。本発明の保護の範囲は、それ故に、添付の請求項のみに従って、解釈されるべきであり、請求項の用語における可能性のある曖昧さは、容器および平板状部材のこの例示的な実施形態を用いて解決されるべきである。
【図１】
2019502605.tif 000003
【図２】
2019502605.tif 000004
【図３】
2019502605.tif 000005
【図４】
2019502605.tif 000006
【図５】
2019502605.tif 000007
【図６】
2019502605.tif 000008
【図７】
2019502605.tif 000009
【図８】
2019502605.tif 000010
【図９】
2019502605.tif 000011
【図１０】
2019502605.tif 000012
【手続補正書】
【提出日】平成30年8月21日(2018.8.21)
【手続補正１】
【補正対象書類名】明細書
【補正対象項目名】０００４
【補正方法】変更
【補正の内容】
【０００４】
フレンチフライの消費者と、そのようなフレンチフライの販売者とは、そのようなフレンチフライに使用される容器にいくつかの要求を課す。これらの要求は、互いに少なくとも部分的に調和する。販売者は、揚げられ、調理され、または準備されるフライで容器を簡単に満たすことができ、かつ、在庫の容器が多くの空間を占めないことを必要とする。フレンチフライの消費者は、フライが、その歯切れの良い食感(crispy texture)を失うことなく、容器における最小の保持時間に耐えることを必要とする。調査は、おおよそ２０分のフライの保持時間（その後で、フライはまだ歯切れが良く、咀嚼によりフライの歯切れの良さを決定する、いわゆるサクサク感のテスト(crunching test)を満足しなければならない）を許容するフレンチフライの容器の必要性があることを示した。伝えられることによれば、良好な歯切れの良さとは、少なくとも５回の咀嚼を必要とし、フライが、口の中でサクサク感を発生させることを特徴とする。さらに、容器は、簡単な運搬を可能としなければならず、かつ、簡単な開放およびフライへの良好な接近を提供しなければならない。
独国実用新案第２０２０１１０５１７６８号明細書は、蓋はないが、前壁、後壁、および側壁を有し、全ての壁に換気用の穿孔が備えられるフレンチフライ用の容器を開示している。
【手続補正２】
【補正対象書類名】明細書
【補正対象項目名】０００６
【補正方法】変更
【補正の内容】
【０００６】
【特許文献１】欧州特許第０８６７３７９号明細書
【特許文献２】米国特許出願公開第２０１５/００２８０８８号明細書
【特許文献３】独国実用新案第２０２０１１０５１７６８号明細書
【手続補正３】
【補正対象書類名】特許請求の範囲
【補正対象項目名】全文
【補正方法】変更
【補正の内容】
【特許請求の範囲】
【請求項１】
フレンチフライ用の容器（１０）であって、底部（１１）と、側壁と、前壁および後壁（１２）と、閉じることが可能な蓋（１３）とを備え、当該容器は、総表面領域を有し、かつ、前記総表面領域の予め選択される比率で設定される開口領域を集合的に有する穿孔（８、８´）が備えられ、前記穿孔（８´）は、少なくとも前記蓋（１３）に備えられ、前記穿孔は、さらに、前記前壁および後壁（１２）に備えられ、かつ、前記前壁および後壁（１２）における前記穿孔（８）は、前記底部の近傍における領域に限定されており、前記底部の近傍は、前記底部（１１）から前記前壁および後壁（１２）の全高の３分の１まで延在することを特徴とする、フレンチフライ用の容器。
【請求項２】
前記比率は、３から１０パーセントの範囲に設定されていることを特徴とする、請求項１に記載の容器。
【請求項３】
前記穿孔（８、８´)は、前記蓋（１３）に隣接する開口部（８´´）として少なくとも部分的に具体化されていることを特徴とする、請求項１または２に記載の容器。
【請求項４】
前記容器の前記底部（１１）は、凹状であることを特徴とする、請求項１から３のいずれか一項に記載の容器。
【請求項５】
前記蓋（１３）における前記穿孔(８´)および/または前記蓋に隣接する前記開口部（８´´）における前記穿孔（８´）の開口領域は、前記底部の近傍での前記前壁および後壁における穿孔（８）の開口領域よりも大きいことを特徴とする、請求項１から４のいずれか一項に記載の容器。
【請求項６】
前記前壁および後壁における前記穿孔（８）は、６×６ｍｍおよび/または９×９ｍｍのサイズのフライの通過を防止する寸法が備えられることを特徴とする、請求項１から５のいずれか一項に記載の容器。
【請求項７】
前記前壁および後壁（１２）は、前記底部から上方へ見たときに、互いに離れるテーパー状であることを特徴とする、請求項１から６のいずれか一項に記載の容器。
【請求項８】
前記前壁および後壁（１２）は、実質的に丸い外観を有する前記容器（１０）を提供するように、滑らかに互いに変形することを特徴とする、請求項１から７のいずれか一項に記載の容器。
【請求項９】
前記容器（１０）は、一片の材料で作られていることを特徴とする、請求項１から８のいずれか一項に記載の容器。
【請求項１０】
前記容器（１０）は、平板状部材（１）から作られることを特徴とする、請求項１から９のいずれか一項に記載の容器。
【請求項１１】
請求項１から１０のいずれか一項に記載のフレンチフライ用の容器のための一片の平板状部材（１）であって、第１および第２の側部材（３、４）が、その部材の両側で接続する接続部材（２）を備え、前記第１および第２の側部材（３、４）は、各々が、前記接続部材（２）からの距離の増加に伴って幅が増加するようにテーパー状になっており、前記幅は、前記第１および第２の側部材（３、４）と前記接続部材（２）とを通って延在する本体軸（５）に対して垂直に測定され、かつ、第１および第２の側部材（３、４）の１つは、前記平板状部材（１）の構成において蓋（１３）として具体化される延長片（６）と接続し、フレンチフライ用の容器に組み立てられ、かつ、前記第１の側部材（３）、および前記第２の側部材（４）、および前記延長片（６）は、穿孔（８、８´）が備えられており、前記第１の側部材（３）および前記第２の側部材（４）は、前記平板状部材が前記容器（１０）に形成される際に前壁および後壁を形成し、かつ、前記第１の側部材（３）および前記第２の側部材（４）における前記穿孔（８）は、前記部材の長さの最大で３分の１の範囲である領域において備えられ、その領域は、前記接続部材（２）と隣接することを特徴とする、フレンチフライ用の容器のための一片の平板状部材。
【請求項１２】
前記第１の側部材（３）および/または前記第２の側部材（４）における前記穿孔（８）は、６×６ｍｍおよび/または９×９ｍｍのフライの通過を防止する寸法とされていることを特徴とする、請求項１１に記載の平板状部材。
【請求項１３】
前記第１の側部材（３）および/または前記第２の側部材（４）における前記穿孔（８）によって備えられる開口領域は、前記延長片（６）における前記穿孔（８´）の開口領域よりも小さいことを特徴とする、請求項１１または１２に記載の平板状部材。
【請求項１４】
前記平板状部材（１）は、総表面領域を有し、かつ、集合的に開口領域を有する穿孔（８、８´）が備えられており、前記開口領域と前記総表面領域との比率が、３から１０パーセントに設定されていることを特徴とする、請求項１１から１３のいずれか一項に記載の平板状部材。
【国際調査報告】
2019502605.tif 000013
2019502605.tif 000014
2019502605.tif 000015